(57)【要約】  【課題】ロッキング時に背もたれに対して相対的に前進するヘッドレストを有する椅子において、ロッキング時に頭をのけ反らせる安楽姿勢を採ることも可能ならしめる。  【手段】背もたれ５はバックフレーム１３とサポートシート１４とから成っており、バックフレーム１３は左右サイドメンバー１３ａを有している。ヘッドレスト装置６はヘッド支柱２７とヘッドレスト２８とを有しており、ヘッド支柱２７はサイドメンバー１３ａの内側面に回動可能に連結されている。ロッキングするとリアリンク２２における起立部２２ａが背もたれ５に対して相対的に後傾し、起立部２２ａの後傾動は弾性ジョイント２９を介してヘッド支柱２７に伝えられる。弾性ジョイント２９とヘッド支柱２７との逃げ作用により、起立部２２ａとヘッド支柱２７とが相対回動することが許容されている。【選択図】図３
2010099105.tif 000002
【特許請求の範囲】
【請求項１】
座と背もたれ、及び前記背もたれに対して前後移動可能なヘッドレストを有しており、前記ヘッドレストは、着座した人が頭を軽く当てても後退しないが頭にある程度の力を掛けて押すと後退するように後退動が弾性手段で支持されている、
ヘッドレスト付き椅子。
【請求項２】
前記ヘッドレストはその下方において略上下方向に延びるヘッド支柱に取り付けられており、前記ヘッド支柱は、前記背もたれ又はこれが取り付くフレーム材に後傾動可能に連結されており、前記ヘッド支柱の後傾動を弾性手段で支持している、
請求項１に記載したヘッドレスト付き椅子。
【請求項３】
前記ヘッド支柱は、背もたれが後傾動するとこれに連動して後傾又は前傾するリアリンクによってロッキング時に後傾するようになっており、前記リアリンクとヘッド支柱との間に弾性ジョイントを介在させることにより、着座した人の頭でヘッドレストを押して後退させることが許容されている、
請求項２に記載したヘッドレスト付き椅子。
【請求項４】
背もたれには着座した人の腰部を押すランバーパッドが併設されており、背もたれが後傾するとリアリンクの回動によってランバーパッドが後退するようになっている、
請求項３に記載したヘッドレスト付き椅子。
【発明の詳細な説明】
【技術分野】
【０００１】
本願発明は、ヘッドレスト付き椅子に関するものである。
【背景技術】
【０００２】
椅子において、着座した人の頭を支持するヘッドレストを設けることは広く行われている。そのうち、ヘッドレストの高さと側面視姿勢とを変更できるようににした椅子の公知例として、例えば特許文献１〜３が挙げられる。これらの文献では、具体的な構造に違いはあるものの、大まかには、背もたれに固定された支柱部材にヘッドレストが高さ調節自在及び姿勢変更自在に取り付けられていると言える。
【０００３】
さて、背もたれが後傾する（ロッキングする）と人の上半身は後ろにのけ反る状態になるが、例えば自動車用座席の場合は背もたれが後傾しても頭（顔）は前を向いた姿勢に保持するのが好適であり、また、座椅子に座ってテレビを観ている場合、背もたれは後傾しても頭はテレビを正視するように姿勢が変わらないのが好ましい。このような観点から、特許文献４では、背もたれが後傾するとヘッドレストを背もたれに対して相対的に前傾させることが提案されている。
【特許文献１】特開２００３−２６５２６４号公報
【特許文献２】特開２００７−３０１０２４号公報
【特許文献３】特開２００４−０５７３９７号公報
【特許文献４】実開昭６０−０８３４５２号のマイクロフィルム
【発明の開示】
【発明が解決しようとする課題】
【０００４】
ところで、近年のオフィスワークではパソコンやＣＡＤのようなＯＡ機器の操作が主流になっており、椅子を使用しているワーカーは、背もたれにもたれ掛かったロッキング状態でもモニター（ディスプレイ）を観続けることが多い。従って、特許文献４の構成の椅子は、現在のオフィスワークに好ましいと言える。
【０００５】
しかし、背もたれが後傾したロッキング状態において人は常にモニター等を観続けるという訳ではなく、頭ものけ反らせて安楽姿勢を得たいと欲することも多い。この点、特許文献４は単にロッキング時にヘッドレストが背もたれに対して相対的に前傾（前進）することを開示するに留まり、頭も安楽姿勢を得たいとの要望に応えることはできない。
【０００６】
本願発明はこのような現状を背景に成されたものであり、ヘッドレストの機能を高めたユーザーフレンドリーな椅子を提供せんとするものである。
【課題を解決するための手段】
【０００７】
請求項１の発明に係る椅子は、座と背もたれ、及び前記背もたれに対して前後移動可能なヘッドレストを有しており、前記ヘッドレストは、着座した人が頭を軽く当てても後退しないが頭にある程度の力を掛けて押すと後退するように後退動が弾性手段で支持されている。
【０００８】
請求項２の発明に係る椅子は、請求項１において、前記ヘッドレストはその下方において略上下方向に延びるヘッド支柱に取り付けられており、前記ヘッド支柱は、前記背もたれ又はこれが取り付くフレーム材に後傾動可能に連結されており、前記ヘッド支柱の後傾動を弾性手段で支持している。
【０００９】
請求項３の発明に係る椅子は、請求項２において、前記ヘッド支柱は、背もたれが後傾動するとこれに連動して後傾又は前傾するリアリンクによってロッキング時に後傾するようになっており、前記リアリンクとヘッド支柱との間に弾性ジョイントを介在させることにより、着座した人の頭でヘッドレストを押して後退させることが許容されている。弾性ジョイントは弾性手段の一例である。
【００１０】
請求項４の発明に係る椅子は、請求項３において、背もたれには着座した人の腰部を押すランバーパッドが併設されており、背もたれが後傾するとリアリンクの回動によってランバーパッドが後退するようになっている。
【発明の効果】
【００１１】
さて、頭は後ろに倒せば倒すほど後ろ向きのモーメントは大きくなり、従って、頭を後ろから支えるのに必要な力は頭の倒し角度に比例して大きくなる。端的に述べると、頭を後ろから支えるにおいて、頭を起こしている場合は僅かの力で当該起こした状態を保持することができるが、頭を大きく倒している場合は下から支えるのに大きな力を要する。
【００１２】
そして、本願発明では、ヘッドレストは人の頭を軽く当てた程度では後傾しないため頭を起こした状態に保持することができると共に、頭を大きく後傾させると頭自体のモーメントによって弾性手段を弾性変形した状態に保持し続けることができるため、頭を倒した状態を保持して安楽状態を確保できる（ヘッドレストが強い力で押圧されないと後傾しないのでは、却って頸が疲れてしまって安楽状態を確保できない。）。
【００１３】
請求項１の発明において弾性手段はどこにでも設けられるが、請求項２のように傾動式のヘッド支柱の回動を弾性手段で支持すると、ヘッド支柱には頭が当たることで大きなモーメントが作用するため、ばね手段を的確に変形等させて安楽状態を的確に得ることができる。
【００１４】
上記の説明はヘッドレストに対して常に前傾方向（前進方向）の付勢力が作用している場合であったが、本願発明では、摩擦を利用することにより、ヘッドレストを後退（後傾）させるとその姿勢が保持されるように設定することも可能である。この場合は、頭に対して前進方向の付勢力が作用することはないため、頸の疲れといった問題は全く生じない。
【００１５】
請求項１，２の発明は、背もたれが後傾しない非ロッキング椅子や、ロッキングに際してヘッドレストが背もたれと同じ割合で後傾するタイプの椅子にも適用できるが、請求項３のようにロッキングに際してヘッドレストが背もたれに対して相対的に前傾（前進）するタイプの椅子に適用すると、ロッキングに際して頭を起こした姿勢と倒した姿勢とを的確に選択できるため特に好適である。
【００１６】
請求項４の構成では、ロッキングに際して背もたれのランバーサポート部で人の腰部が過度に突き上げられる現象を防止できる。そして、ヘッドレストとランバーパッドとはリアリンクの回動に連動しているが、ヘッド支柱とリアリンクととの間に弾性ジョイントが介在しているため、ヘッドレストの動きがリアリンクに作用することを遮断でき、その結果、ランバーパッドの後退動が不完全になる虞を解消できる。
【発明を実施するための最良の形態】
【００１７】
次に、本願発明の実施形態を図面に基づいて説明する。本実施形態は、事務用に多用されている回転椅子に適用している。なお、以下の説明では方向を特定するための左右の文言を使用するが、この左右の方向は、着座した人が向いた方向を基準にしている。まず、第１実施形態を説明する。
【００１８】
(1).第１実施形態の概要
まず、図１〜図６に基づいて第１実施形態に係る椅子の概要を説明する。図１のうち（Ａ）は椅子の斜視図で（Ｂ）は背もたれの部分的な一部破断正面図、図２は側面図、図３は背面図、図４及び図５は前方から見た分離斜視図、図６はロッキング機構を説明するための分離斜視図である。
【００１９】
例えば図１〜３に示すように、椅子は、主要要素として、脚支柱２（ガスシリンダ）を有する脚装置１、脚支柱２の上端に固定されたベース３、ベース３の上方に配置された座４、背もたれ５、オプション品として背もたれ５に取付けられたヘッドレスト装置６を備えている。脚１は放射状に延びる複数本の枝足７を備えており、各枝足７の先端にはキャスタを設けている。
【００２０】
ベース３の左右両側には左右一対の揺動フレーム８が配置されている。揺動フレーム８は、非ロッキング時に水平に近い姿勢で後傾している基部９とその後端から立ち上がった背支柱１０とから成っている。そして、揺動フレーム８はその前端部を中心にして後傾動（回動）するように、基部９の前端部がベース３に左右長手の支軸部１１で連結されている。揺動フレーム８は例えばアルミダイキャストのような金属成形品を採用しているが、樹脂成形品で良いし、或いは、板金製品を採用することも可能である。左右の揺動フレーム８は、基部９と背支柱１０とが連接したコーナー部においてジョイントフレーム１１で連結されている。
【００２１】
背もたれ５は、正面視略四角形のバックフレーム１３にサポートシート１４が張られた構成であり、バックフレーム１３は揺動フレーム１０の支柱１０にビスで固定されている（詳細は後述する。）。バックフレーム１３は、着座者の腰部に当たる部分が側面視で最も前端となるように側面視で緩く湾曲しており、従って、サポートシート１４（或いは背もたれ５）はランバーサポート部１４ａを有している。サポートシート１４におけるランバーサポート部１４ａの左右両側部には裏側からランバーパッド１４が当たっている。なお、サポートシート１４は平面視で前向き凹状に凹んでいる。また、本実施形態のサポートシート１４は縦長の疎部と密部とが左右方向に交互に配置された縦縞模様の外観を呈しており、疎部では前後に透けて見える。
【００２２】
バックフレーム１３は樹脂の成形品であり、例えば図４に示すように、上下方向に長く延びる左右サイドメンバー１３ａと、左右サイドメンバー１３ａの上端に繋がったアッパーメンバー１３ｂと、左右サイドメンバー１３ａの下端に繋がったロアメンバー１３ｃとから成っている。従って、バックフレーム１３は正面視で略四角形の形態を成している。アッパーメンバー１３ｂ及びロアメンバー１３ｃは平面視で前向き凹状に緩く湾曲している。
【００２３】
既述のとおり、揺動フレーム１０はその前端部を中心にして後傾するようにベース３に支軸部１１で連結されているが、本実施形態では、ロッキング用ばね手段として、支軸部１１に内蔵したトーションバーを採用している。トーションバーはその左右中間部がベース３に回転不能に保持されており、左右両端部は揺動フレーム８の前端部に固定されている。このため、揺動フレーム８はトーションバーをねじり変形させながら後傾する。
【００２４】
支軸部１１はベース３の左右外側に大きく突出しており、このため揺動フレーム８もベース３のかなり外側に配置されている。但し、例えば図３（Ｂ）から理解できるように、揺動フレーム８は座４の左右外側面よりも内側に位置している。従って揺動フレーム８が人の歩行の邪魔になるようなことはない。
【００２５】
座４は、樹脂製のインナーシェル（図示せず）とその上面に張ったクッション、及びインナーシェルを支持するアウターシェル１６（図６参照）を有している。本願発明との関係は薄いので詳細は省略するが、座４のアウターシェル１６はその下方に配置した中間部材１７に前後位置可能に取り付けられており、中間部材の前部には前ブラケット部１８が形成されていて、この前ブラケット部１８とベース３とがフロントリンク２０で連結されている。フロントリンク２０はベース３に挿通した前支軸２０′に回動可能に取り付けられている。フロントリンク２０の上端は前後長手の補助枠材２１に連結されている。補助枠材２１は中間部材１７に前後スライド可能でに保持されており、かつ、補助枠材２１は座４（アウターシェル１９）と一体に動く。
【００２６】
図４〜６に示すように、揺動フレーム１０の内側面にはリアリンク２２が配置されている。リアリンク２２は揺動フレーム８に似た側面視略Ｌ形の形態であり、起立部２２ａが揺動フレーム８における背支柱１０の内面に沿って延びており、かつ、リアリンク２２は起立部２２ａの付け根よりもやや手前側の部位において枢支ピン２３（図４参照）。揺動フレーム８に連結されている。リアリンク２１の前端は上向きに突出しており、これが補助枠材２１の後端部にリアピン２４で連結されている。
【００２７】
従って、背もたれ５（及び揺動フレーム８）が後傾すると座４は後退しつつ後傾する。揺動フレーム８のおおよそ前後中間部の内側面には水平に対してやや後傾した姿勢のガイド長穴が空いている一方、座４が取り付けられている中間部材にはガイド長穴にスライド自在に嵌まるガイドピン２５（図５，７参照）を設けている。ガイドピン２５がガイド長穴でガイドされることにより、座４は独自に後退及び後傾することなく、揺動フレーム８との連動関係が強制されている。
【００２８】
着座した人が背もたれ５にもたれ掛かると、リアリンク２２の起立部２２ａも後傾するが、背支柱１０に対しても相対的に後傾する。すなわち、背支柱１０が後傾する割合よりもリアリンク２２の起立部２２ａが後傾する割合が大きい。そして、リアリンク２２における起立部２２ａの上端部に、既述したランバーパッド１５を高さ調節可能に取り付けている。従って、ロッキングに際してランバーパッド１５は背支柱１０に対して相対的に後退することになり、このため、サポートシート１４はロッキングするとテンションが緩む。
【００２９】
さて、非ロッキング状態で人がパソコン操作等の執務・作業を行う場合、上半身はサポートシート１４のランバーサポート部１４ａで腰部を後ろから支えているのが好ましい。従って、非ロッキング状態では、ランバーサポート部１４ａは側断面視で前向き凸にかなり突出しているのが好ましい。他方、ランバーサポート部１４ａが大きく突出した状態のままでロッキング状態に移行すると、腰部が過度に突き上げられる虞がある。そこで本実施形態では、ロッキング時にはランバーパッド１５を背支柱１０に対して相対的に後退させてサポートシート１４のテンションを緩めているのである。
【００３０】
ヘッドレスト装置６は、バックフレーム１３におけるサイドメンバー１３ａの左右内側面から立ち上がった左右のヘッド支柱２７を有しており（図１（Ａ）や図４では片方のヘッド支柱１３ｂしか表示していない）、ヘッド支柱２７にヘッドレスト２８が高さ調節可能に取り付けられている。
【００３１】
ヘッド支柱２７はその下端寄りの部位を中心にして前後に回動するようにピン（或いはビン部）でサイドメンバー１３ａに連結されており、かつ、ヘッド支柱２７の下端は、弾性ジョイント２９を介してリアリンク２２の起立部２２ａに連結されている。ロッキングに際してはヘッド支柱２７はその上部が手前に移動するように回動する。
【００３２】
(2).揺動フレームとランバーパッドの補足
次に、従前の図に加えて図７，８も参照してランバーパッド１５等を補足しておく。図７のうち（Ａ）は要部の分離側面図、（Ｂ）は要部の分離斜視図、図８はランバーパッド１５を設けている部分の平断面図である。例えば図６に示すよう、揺動フレーム８の基部９には、リアリンク２２を覆うための下インサイドカバー３１を設けている。例えば図８に明示するように、背支柱１０は変形Ｌ形になっている。背支柱１０を変形Ｌ形に形成しているのは、側板と背面板とで囲われた空間にリアリンク２２の起立部２２ａを配置するためである。リアリンク２２の起立部２２ａは上インサイドカバー３２で覆われている。
【００３３】
ヘッドレスト装置６はオプション品であり、これを取り付けない場合は、例えば図５に示すように背支柱１０の上端には天キャップ３３が装着されている。例えば図８に示すように、バックフレーム１３のサイドメンバー１３ａは背支柱１０に左右外側から重なっている。サイドメンバー１３ａは左右外側に向けて前後幅が徐々に小さくなる略台形の断面形状であり、かつ、前面も背面も背もたれ５の中心部に近づくほど後ろにずれるように後ろ向きに傾斜している。
【００３４】
バックフレーム１３を構成する各メンバーの外周面は平坦面になっている。そして、図８に代表して明示するように、各メンバーの外側面（バックフレーム１３の外周面）には溝条３４が長く延びて形成されており、サポートシート１４の終縁に固定された縁部材３５が溝条３４に嵌め込まれている。なお、縁部材３５は各メンバーの箇所ごとに分断されている。
【００３５】
図８に示すように、背支柱１０は、その上下複数箇所がビス３６とナット３７とで背支柱１０に締結されている。ビス３６は背支柱１０の側板に内側から挿通されており、ナット３７はサイドメンバー１３ａに形成した前向き開口のナット穴３８に嵌め込まれて回転不能に保持されている。
【００３６】
次に、ランバーパッド１５を説明する。ランバーパッド１５は樹脂製品であり、例えば図７に示すように、上下長手で側面視及び平面視で前向き突状に湾曲している。このため、サポートシート１４は特定部位に応力が集中することなく円滑に支持されている。そして、ランバーパッド１５のうち左右外端部にはリアリンク２２の起立部２２ａに前から嵌まる溝形の受け部４０が後ろ向きに突設されている。
【００３７】
図７に示すように、受け部４０の内底面には山形のストッパー突起４１が形成されている一方、リアリンク２２の起立部２２ａにはストッパー突起が嵌まる凹所４２を多段に形成している。また、ランバーパッド１５の背面には、人が指で摘まみ得る横向きの操作片４３を一体に形成している。従って、椅子の使用者は好みや体格等に応じてランバーサポート１４の高さ位置を調節できる。上インサイドカバー３２の内面には、ランバーパッド１５が後退したときに受け部４０を安定的に保持するスペーサ４４を配置している。
【００３８】
(3).ヘッドレスト装置
次に、図９，１０も参照してヘッドレスト装置６を補足・詳述する。図９の（Ａ）（Ｂ）は見る方向を異ならせた要部の分離斜視図、図１０のうち（Ａ）は分離正面図、（Ｂ）は非分離状態での（Ａ）のＢ−Ｂ視断面図、（Ｃ）は作用を示す図、（Ｄ）はカム部材の正面図である。
【００３９】
まず、ヘッドレスト装置６の全体構成を補足しておく。図１や図３ではヘッド支柱２７は片方しか表示していないが、ヘッド支柱２７は左右のサイドメンバー１３ａに連結されている。図３から明瞭に把握できるように、左右のヘッド支柱２７は、バックフレーム１３のサイドメンバー１３ａに連結された下端部２７ａと、下端部２７ａから立ち上がって上に行くに従って背支柱１０の縦長中心線に向けて傾斜した傾斜部２７ａと、傾斜部２７ａから正面視で鉛直方向に立ち上がった上平行部２７ｃとを有している。左右のヘッド支柱２７は上平行部２７ｃの下端部において横バー４７で連結されている。
【００４０】
図２に示すように、傾斜部２７ａは非ロッキング状態では側面視で後傾姿勢になっており、上平行部２７ｃは非ロッキング状態では側面視で前傾姿勢になっている。従って、傾斜部２７ｂと上平行部２７ｃとにより、側面視で前向き凹に曲がったくの字状の形態が構成されている。
【００４１】
ヘッドレスト２８は、正面視略四角形で前後に開口したヘッド枠４８とこれに張ったヘッドシート４９とを有している。詳細は省略するが、ヘッドレスト２８は左右ヘッド支柱２７の上端に高さ調節自在に取り付けられている。
【００４２】
次に弾性ジョイント２９を説明する。図９，１０に示すように、弾性ジョイント２９は、弾性手段の一例としての圧縮コイルばね５０と、コイルばね５０に上からきっちり嵌り込んだ上部ばねホルダー５１と、上部ばねホルダー５１に上方から重なってカム部材５１ｂと、コイルばね５０に下からきっちり嵌まり込んだ下部ばねホルダー５２と、これらの大部分が格納された上下長手のケース５３と、ケース５３を覆うカバー５４とで構成されている。
【００４３】
上部ばねホルダー５１は、コイルばね５０が下方から当接する大径部を有しており、大径部に背もたれ５の側面視で上向き開口のＶ形のしたカム溝５１ａを形成している。また、上部ばねホルダー５１は平面視角形であり、ケース５３に上下動自在で回転不能に嵌まっている。他方、カム部材５１ｂはヘッド支柱２７の下端に形成した二股状の軸受け板５５の間に入り込んでおり、軸受け板５に上ピン５６で連結されている。
【００４４】
カム部材５１ｂの上面を平坦状に形成している一方、ヘッド支柱２７の下端面のうち軸受け板５５の間の部位５９も平坦面になっており、このため、カム部材５１ｂは回転不能に保持される。そして、カム部材５１ｂに、上部ばねホルダー５１のカム溝５１ａに嵌まる側面視下向き山形のカム部５１ｂ′を形成している。
【００４５】
他方、下部ばねホルダー５２は、コイルばね５０が下端が当接するフランジ５２ａと、その下端に連続した円筒軸部５２ｂと、円筒軸部５２ｂの下端に連続した正面視二股状の軸受け部５２ｃとを有しており、軸受け部５２はリアリンク２２における起立部２２ａの上端部に左右長手の下部ピン５７で回動可能に連結されている。
【００４６】
ケース５３は概ね角形で上部ばねホルダー５１及びカム部５１ｂとコイルばね５０とをすっぽり覆うと共に、底板に空けた穴５８に下部ばねホルダー５２の円筒軸部５２ｂがスライド可能に嵌まっている。また、ケース５３の左右側板は上向きに突出した軸受け部５３ａになっていてヘッド支柱２７の軸受け板５５を左右外側から挟んでおり、軸受け部５３ａは上部ピン５６（ビス）で軸受け板５５及び上部ばねホルダー５１に連結されている。上部ピン５６はバックフレーム１３のサイドメンバー１３ａにねじ込まれている。ケース５３は上部ピン５６を中心に解答することが許容されている。
【００４７】
コイルばね５０は上下部ばねホルダー５１，５２をしっかりと掴持していると共に上下部ばねホルダー５１，５２の間に上下方向から多少突っ張っている。カム部材５１ｂと上部ばねホルダー５１とが嵌まり合っているため、リアリンク２２の起立部２２ａが後傾動すると、ヘッド支柱２７は、ヘッドレスト２９を前進させるように上部ピン５６を中心にして回動する。
【００４８】
そして、図１０（Ｃ）に示すように、ヘッド支柱２７に前後方向からある程度の外力が掛かるカム部材５１ｂは上部ばねホルダー５１を押し下げることで、リアリアン２２とは関係なく独自に回動しうる。従って、ロッキングによって背もたれ５に対して相対的に前進したヘッドレスト２８を後退させることや、ヘッドレスト２８と背もたれ５との相対姿勢は変えることなくリアリンク２２のみを後傾動させることができる。
【００４９】
カム部材５１ｂで上部ばねホルダー５１を押し下げた状態でヘッドレスト３８に対する外力が解除されると、ばね５０の押圧作用とカム面のガイド作用により、上部ばねホルダー５１がケース５３の内部で上昇してカム部材５１ｂと上部ばねホルダー５１とはきっちり重なり合う。従って、頭で後退させていたヘッドレスト１７２８と元の前進姿勢に戻る。
【００５０】
図９に示すように、ヘッド支柱２７における下部２７ａの外側面にはバックフレーム１３のサイドメンバー１３ａに向けて突出した突起６０を設けている一方、バックフレーム１３におけるサイドメンバー１３ａの内側面には突起６０が嵌まる規制穴６１を形成している。突起６０の前後移動範囲が規制穴６１で規制されることにより、ヘッド支柱２７の回動範囲が規制されている。
【００５１】
既述のとおり、リアリンク２２における起立部２２ａが回動すると弾性ジョイント２９を介してヘッド支柱２７が回動する。この場合、リアリンク２２における起立部２２ａはその回動によって上端が上部ピン５６に対して遠近移動するが、ケース５３の底板が下部ばねホルダー５２の円筒軸部５２ｂをスライドすることにより、リアリンク２２における起立部２２ａの回動が許容されている。
【００５２】
そして、ヘッド支柱２７はコイルばね５０の突っ張り力を介してリアリンク２２における起立部２２ａと連動しているに過ぎないので、ケース５３の上端がヘッド支柱２７の円弧面５９に対して滑ることにより、前傾したヘッド支柱２７を後傾させたり、ヘッド支柱２７は背もたれ５に対する姿勢を変えることなくリアリンク２２における起立部２２ａのみを後傾させたりすることができる。従って、椅子の使用者はロッキング状態で頭を後ろにのけ反らせた安楽姿勢を採ることができる。
【００５３】
例えば図３に示すようにカバー５４の下端は背支柱１０の上端に当接又は密接しており、このためカバー５４は回動不能に保持されている。また、カバー５４の背面は背支柱１０の背面と同一面を成すように配置されている。そして、図９や図１０（Ｂ）に示すように、カバー５４の前内面はケース５３の回動が許容されるように傾斜状の逃げ面５４ｂを形成している。
【００５４】
さて、本実施形態のようにランバーバッド１５がリアリンク２２における起立部２２ａに取り付けられていると、ヘッド支柱２７とリアリンク２２における起立部２２ａとが単にピン等で連結されているに過ぎない場合は、ロッキング時に人の頭によってヘッド支柱２７に後傾方向の外力が作用するとリアリンク２２における起立部２２ａは前傾方向に押されることになり、すると、力の関係によってリアリンク２２における起立部２２ａが前傾動する可能性がないともに言えず、するとロッキング時における背もたれ５とランバーパッド１５とヘッドレスト装置６とのバランスが不安定になる可能性がないとも言えない。
【００５５】
これに対して本願発明のようにリアリンク２２における起立部２２ａとヘッド支柱２７との間に弾性ジョイント２９等の弾性手段（バッファ手段）を介在させると、ヘッド支柱２７の後傾動による外力がリアリンク２２における起立部２２ａの前傾動として作用することを防止して、安定したロッキング状態を実現できる。
【００５６】
なお、ヘッド支柱２７はケース５３との摩擦に抗して後傾するように構成すること可能であり、この場合は、後傾させた状態ではヘッド支柱２７はコイルばね５０で前傾方向に付勢されてはおらず、従って、人は頸を疲れさせることなく安楽状態を確保できる（この場合は、後退させヘッドレスト２８は人が手で前に移動させることになる。）。
【００５７】
(6).その他
本願発明は上記の実施形態の他にも様々に具体化できる。例えばヘッドレスト装置の具体的態様は図示のものには限定されず、ヘッド支柱やヘッドレストなど様々に変更できる。弾性ジョイント等の弾性支持手段しとては、板ばねやねじりばね、ゴムなど様々の弾性体を使用できる。
【００５８】
また、適用対象は必ずしも回転椅子に限定されるものではなく、劇場用椅子やベンチのような固定式椅子にも適用できる。背もたれはサポートシートの方式が好適であるが、インナーシェルとクッションとを有する方式を排除するものではない。ロッキングに際してヘッドレストを背もたれに対して相対的に前進させる構成を採用する場合、連動機構は実施形態のようなリンクを使用することには限らず、例えばワイヤーがチューブに入った索導管を使用するなど、様々の機構を採用できる。
【００５９】
(7).本実施形態に含まれている別発明
椅子においてヘッドレスト装置を設けることは広く行われているが、特許文献１〜３のように、ヘッド支柱は専用品又は兼用品として背もたれの背後に配置していることが一般的である。他方、例えば特開２００４−４９６５８号のように、椅子の背もたれを前後に開口したバックフレームにネット状（或いはメッシュ状）のサポートシートを張った構造とすることが広く行われており、特開２００４−４９６５８号ではヘッドレストをバックフレームの上端部（アッパーメンバー）に取り付けている。
【００６０】
しかし、ヘッドレストはオプション品であるため、前記公報のようにヘッドレストをバックフレームのアッパーメンバーに取り付けると、ヘッドレストを取り付けないときに取り付け穴が外部から鮮明に視認できて体裁を悪くする虞がある問題や、バックフレームのアッパーメンバーにハンガー類を取り付けできなくなる問題がある。更に、ヘッドレストを前後傾動式とせねばならない場合への対応も困難になる。他方、ヘッド支柱を背もたれの背面に配置することも考えられるが、これではヘッド支柱が目立ち過ぎて美感が良くないという問題がある（サポートシートは前から透けて見えるため、バックビューだけでなくフロントビューでも見た目が良くない。
【００６１】
これに対して本実施形態のようにヘッド支柱をバックフレームにおけるサイドメンバーに取り付けると、傾動式のヘッドレストについても簡単に対応できる利点や、ヘッド支柱が目立つことを防止できる利点、或いはアッパーメンバーにハンガー等の他の部材を取り付けできる利点がある。特に、ヘッド支柱をサイドメンバーの内側面に取り付けると、ヘッドレスト装置を取り付けない状態であっても穴類は対して目立たないため、美感の悪化という問題も克服できる。また、サポートシートをサイドメンバーの外側面（バックフレームの外周面）に取り付けている場合、ヘッド支柱をサイドメンバーの内面に取り付けると強度低下もなくて好適である。
【００６２】
なお、ヘッドレストの左右横幅は背もたれの横幅よりも小さいため、ヘッド支柱をサイドメンバーに取り付けた場合は、本実施形態のように、その上部を背もたれの縦長中心線に寄らせた形態とすると、ヘッド支柱が邪魔になったり体裁が悪化したりすることがなくて好ましい。
【図面の簡単な説明】
【００６３】
【図１】（Ａ）は実施形態に係る椅子の斜視図で（Ｂ）は背もたれの部分的な一部破断正面図である。
【図２】椅子の側面図である。
【図３】椅子の背面図である。
【図４】前方から見た分離斜視図である。
【図５】前方から見た分離斜視図である。
【図６】ロッキング機構を説明するための分離斜視図である。
【図７】（Ａ）は要部の分離側面図、（Ｂ）は要部の分離斜視図である。
【図８】ランバーパッドを設けている部分の平断面図である。
【図９】弾性ジョイントを説明するための要部の分離斜視図である。
【図１０】（Ａ）は弾性ジョイント２９の分離正面図、（Ｂ）は非分離状態での（Ａ）のＢ−Ｂ視断面図、（Ｃ）は作用を示す図、（Ｄ）はカム部材の正面図である。
【符号の説明】
【００６４】
１  脚装置
３  ベース
４  座
５  背もたれ
６  ヘッドレスト装置
１０  揺動フレームの背支柱
１３  バックフレーム
１３ａ  バックフレームのサイドメンバー
１４  サポートシート
２７  ヘッド支柱
２８  ヘッドレスト
２９  弾性支持手段の一例としての弾性ジョイント
５０  弾性ジョイントを構成するコイルばね
【図１】
2010099105.tif 000003
【図２】
2010099105.tif 000004
【図３】
2010099105.tif 000005
【図４】
2010099105.tif 000006
【図５】
2010099105.tif 000007
【図６】
2010099105.tif 000008
【図７】
2010099105.tif 000009
【図８】
2010099105.tif 000010
【図９】
2010099105.tif 000011
【図１０】
2010099105.tif 000012